(57)【要約】【課題】従来の医療用複室容器では、開通確認用シールが捲り難く、煩わしい作業を強いられたり、シールの一部が掛吊穴を塞ぐ状態に残ってしまったり、さらに、開通確認用シールを剥がしてしまうと、容器本体に薬剤の混合を促す表示部が全く存在しなくなり、注意喚起効果を全く発揮しないことになる。【解決手段】自由端部２３ａは容器本体３に貼付されておらず、しかも貼付部２５、２６に対し直接に接続されていないので、指で容易に摘むことができる。被覆部２３は後フラップ１１には貼付されていないので、貼付部２５、２６から分離させれば常にしかも完全に除去することができ、掛吊穴１３の周辺に残るようなことはない。また、表示２４が、被覆部２３だけでなく貼付部２５、２６にも印刷されているので、被覆部２３を分離除去した後も注意を喚起することができる。【選択図】        図１
2005245983.tif 000002
【特許請求の範囲】
【請求項１】
少なくとも１つに液状薬剤が収納された複数の収納部を有する容器本体と、前記収納部を仕切っていて外部から圧力を加えることにより剥離し得る弱シール部と、容器本体を吊り下げるための掛吊穴を備えており、前記弱シール部を剥離して複数の収納部どうしを連通させて収納部に収納されている薬剤を混合する医療用複室容器において、薬剤の混合を促す表示を有する表示体を備えており、前記表示体は前記容器本体の掛吊穴を覆わない部分に貼付された貼付部と、前記貼付部に対して分離可能に接続され、且つ容器本体に貼付されていない状態で掛吊穴を覆う被覆部とから成ることを特徴とする医療用複室容器。
【請求項２】
請求項１に記載した医療用複室容器において、薬剤の混合を促す表示は被覆部と貼付部の両方に記載されていることを特徴とする医療用複室容器。
【請求項３】
請求項１または２に記載した医療用複室容器において、被覆部は、表示体の他の部分より低い強度になっていて引っ張ると破断する破断部を介して貼付部に接続されていることを特徴とする医療用複室容器。
【請求項４】
請求項１から３のいずれかに記載した医療用複室容器において、貼付部は二つ備えられ、二つの貼付部は掛吊穴に近接し、且つ掛吊穴を挟んで両側にそれぞれ配置されていることを特徴とする医療用複室容器。
【請求項５】
請求項１から４のいずれかに記載した医療用複室容器において、被覆部は貼付部に対し直接に接続されていない自由端部を有することを特徴とする医療用複室容器。
【発明の詳細な説明】
【技術分野】
【０００１】
本発明は医療用複室容器に係り、特に外部からの圧力により剥離する弱シール部によって仕切られた複数の収納部を有する医療用複室容器に関するものである。
【背景技術】
【０００２】
静脈注射により患者に投与する薬剤の中には、予め配合すると経時的に変化する不安定なものがある。このような薬剤は配合前の成分を弱シール部によって仕切られた複数の収納部に個別に収納する医療用複室容器が用いられることが多い。この医療用複室容器は、外部から圧力を加えることにより弱シール部を剥離させ、収納部どうしを連通させて薬剤どうしを混合する。そして、掛吊穴にフックを掛けて、容器本体を吊り下げた状態として、薬剤取出口を塞ぐゴム栓にカテーテルに接続された刺栓針を刺し込み、カテーテルの先端に取り付けられた注射針から患者に投与する。
【０００３】
ところが医療用複室容器に外部から圧力を加えるのをうっかり忘れてしまい、弱シール部を剥離せずに混合されていない薬剤を投与してしまう危険性がある。そこで特許文献１に記載された医療用複室容器が提案されている。この医療用複室容器は、掛吊穴を塞ぐように貼付される剥離可能な開通確認用シールを備え、この開通確認用シールは薬剤の混合を促す表示部を有して、医療用複室容器中の薬剤を確実に溶解乃至混合するための注意喚起効果を発揮しようとするものである。
【０００４】
【特許文献１】実用新案登録第３０７４８８５号公報
【発明の開示】
【発明が解決しようとする課題】
【０００５】
しかしながら、上記従来の医療用複室容器では開通確認用シールの全体が容器本体に貼付されているので、開通確認用シールが捲り難く、煩わしい作業を強いられるおそれがある。
さらに、開通確認用シールが掛吊穴を塞ぐように貼付されているので、開通確認用シールが完全に剥がれず、シールの一部が掛吊穴を塞ぐ状態に残ってしまうおそれがある。
また、開通確認用シールは剥がしてしまうと、容器本体に薬剤の混合を促す表示部が全く存在しなくなり、注意喚起効果を全く発揮しないことになる。従って、弱シール部を剥離する前に開通確認用シールを剥がしてしまうと、再度の注意喚起は全く期待できないことになってしまう。
【０００６】
使用時において開通確認用シールを容易に剥すことができるようにするためには、開通確認用シールの粘着剤をあまり強力なものにすることはできない。ところが開通確認用シールの粘着剤をあまり弱くすると、医療用複室容器に薬剤を封入してから高圧蒸気滅菌器によって加熱殺菌を行う際に開通確認用シールが剥がれてしまうおそれがある。即ち、開通確認用シールの粘着力は、使用時においては容易に剥がすことができ、加熱殺菌時においては剥がれないという相反する二つの性能が要求されることなり、この要求を充たすことは現実には殆ど不可能である。このため、実際の製造においては医療用複室容器に薬剤を封入して加熱殺菌した後に開通確認用シールを貼付している。
【０００７】
しかしながら、薬剤を封入した医療用複室容器はかなり嵩張るだけでなく、その重量も数キログラムになり、しかも液状の薬剤が封入されているために形態も不安定であり、医療用複室容器に開通確認用シールを貼付する作業は相当に面倒である。また薬剤を封入した医療用複室容器に対する開通確認用シールの貼付作業を自動化するのはかなり困難である。
また、医療用複室容器には掛吊穴が収納部によって囲まれたタイプもあり、このタイプの医療用複室容器は収容部に薬剤を入れると、膨らんだ収容部が掛吊穴の周辺を囲むため、掛吊穴を塞ぐように開通確認用シールを貼付するのは煩雑である。
【課題を解決するための手段】
【０００８】
本発明は上記課題を解決するためになされたものであり、請求項１の発明は、少なくとも１つに液状薬剤が収納された複数の収納部を有する容器本体と、前記収納部を仕切っていて外部から圧力を加えることにより剥離し得る弱シール部と、容器本体を吊り下げるための掛吊穴を備えており、前記弱シール部を剥離して複数の収納部どうしを連通させて収納部に収納されている薬剤を混合する医療用複室容器において、薬剤の混合を促す表示を有する表示体を備えており、前記表示体は前記容器本体の掛吊穴を覆わない部分に貼付された貼付部と、前記貼付部に対して分離可能に接続され、且つ容器本体に貼付されていない状態で掛吊穴を覆う被覆部とから成ることを特徴とする医療用複室容器である。
【０００９】
請求項２の発明は、請求項１に記載した医療用複室容器において、薬剤の混合を促す表示は被覆部と貼付部の両方に記載されていることを特徴とする医療用複室容器である。
【００１０】
請求項３の発明は、請求項１または２に記載した医療用複室容器において、被覆部は、表示体の他の部分より低い強度になっていて引っ張ると破断する破断部を介して貼付部に接続されていることを特徴とする医療用複室容器である。
【００１１】
請求項４は、請求項１から３のいずれかに記載した医療用複室容器において、貼付部は二つ備えられ、二つの貼付部は掛吊穴に近接し、且つ掛吊穴を挟んで両側にそれぞれ配置されていることを特徴とする医療用複室容器である。
【００１２】
請求項５は、請求項１から４のいずれかに記載した医療用複室容器において、被覆部は貼付部に対し直接に接続されていない自由端部を有することを特徴とする医療用複室容器である。
【発明の効果】
【００１３】
本発明の医療用複室容器では被覆部が容器本体に貼付されていないので、捲り易く簡単に除去することができる。
さらに、表示体の被覆部が貼付されてないので、常に被覆部を完全に除去することができる。
また、貼付部から被覆部を分離除去しても、容器本体に薬剤の混合を促す表示が記載された貼付部が残るので、被覆部を除去した後も注意喚起を期待することができる。
【００１４】
容器本体の掛吊穴を覆わない部分に貼付部を貼付し、貼付部に対して被覆部を分離可能に接続して設け、この被覆部によって容器本体に貼付されていない状態で掛吊穴を覆うので、貼付部を容器本体に対し強力に固着させても、被覆部が剥離し難くなることはない。従って、薬剤が封入された容器本体を加熱殺菌しても剥離するおそれが全くない程、表示体の貼付部を容器本体に対し強力に固着させることができるようになる。
よって、薬剤を封入する前の扁平な状態の容器本体に表示体を貼付することが可能となり、表示体を貼付する作業が行いやすくなる。さらに自動機によって表示体を貼付することも容易に実現することが可能となる。
また、薬剤を封入する前の扁平な状態の容器本体に表示体を貼付することが可能となるので、掛吊穴の周辺を収納部が囲むタイプの容器本体でも、掛吊穴を塞ぐように表示体を極めて容易に貼付することが可能となる。
【実施例１】
【００１５】
本発明の実施例１に係る医療用複室容器１を、図１〜図３にしたがって説明する。
符号３は容器本体を示し、この容器本体３には収納部５、７が設けられている。収納部５と収納部７との間には弱シール部９が形成され（図２参照）、収納部５、７の周囲の弱シール部９以外の部分には強シール部が形成されている。弱シール部９は強シール部よりも小さな所定の力で剥離するように設定されている。
【００１６】
容器本体３は後端側に後フラップ部１１を有し、この後フラップ部１１には掛吊穴１３が形成されている。また容器本体３は前端側に前フラップ部１５を有し、この前フラップ部１５には薬剤取出口１７が取り付けられている。薬剤取出口１７は収納部７に連通し、開口がゴム栓によって塞がれている。
収納部５には液状の薬剤Ｍ１が収納され、収納部７には液状の薬剤Ｍ２が収納されている。
【００１７】
符号２１は紙製の表示体を示し、この表示体２１は、ほぼ長方形で下端部が丸みを帯びた形状の被覆部２３と、ほぼ長方形の貼付部２５、２６とから成る。
以下、表示体２１の説明に限り、被覆部２３の長手方向を前後方向と、この前後方向に直交する方向を左右方向として説明する。このことは実施例２についても適用する。
被覆部２３は、その前後方向のほぼ中心から後側の部分において二つの貼付部２５、２６が、破断部としてのミシン目２７、２８を介して接続されている。二つの貼付部２５、２６は被覆部２３の左右方向へそれぞれ突出して接続され、表示体２１は「Ｔ字形」に形成されている。
【００１８】
貼付部２５、２６の裏面には粘着剤が塗布されており、被覆部２３には粘着剤は塗布されていない。貼付部２５、２６は後フラップ部１１に容易に剥離できないように貼付されており、被覆部２３は容器本体３に貼付されない状態で掛吊穴１３を被覆している。従って、このままでは掛吊穴１３にフックを通すことができない状態となっている。二つの貼付部２５、２６は掛吊穴１３に近接し、且つ掛吊穴１３を挟んで両側にそれぞれ配置されている。
上記のように被覆部２３は、その前後方向のほぼ中心から後側の部分だけが貼付部２５、２６に直接に接続され、しかも貼付部２５、２６のみが容器本体３に貼付されているので、被覆部２３の前後方向のほぼ中心から前側の部分は容易に捲ることができる自由端部２３ａとなっている。
【００１９】
被覆部２３の表面には「開通確認」の文字から成る薬剤の混合を促す表示が印刷され、さらに左右の貼付部２５、２６の表面にも「開通確認」の文字から成る薬剤の混合を促す表示が印刷されている。このように薬剤の混合を促す表示は、被覆部２３と貼付部２５、２６の両方に記載されている。
【００２０】
次に、この医療用複室容器１の使用方法について説明する。
まず、医療用複室容器１を平らなテーブルの上等に置き、収納部５の中央を手で押して、図１において白抜きの矢印で示すように収納部５に外部から圧力を加える。この圧力は収納部５内の液状の薬剤Ｍ１を介して弱シール部９に伝えられ、弱シール部９が剥離する。これにより収納部５と収納部７とが連通して、薬剤Ｍ１と薬剤Ｍ２とが混合される。
【００２１】
そして、被覆部２３の自由端部２３ａを指で摘んで、捲るようにして後フラップ１１の方向へ引っ張る。ミシン目２７、２８の部分は、表示体２１の他の部分より低い強度となっているので、被覆部２３はミシン目２７、２８の部分から破断して貼付部２５、２６から分離する。被覆部２３が貼付部２５、２６から分離すると掛吊穴１３が露出する。
掛吊穴１３が露出したところで、掛吊穴１３にフックを掛けて、容器本体３を吊り下げた状態として、薬剤取出口１７を塞ぐゴム栓に図示しないカテーテルに接続された刺栓針を刺し込み、カテーテルの先端に取り付けられた注射針から患者に投与する。
【００２２】
上記作業において、自由端部２３ａは容器本体３に貼付されておらず、しかも貼付部２５、２６に対し直接に接続されていないので、指で容易に摘むことができ、粘着シールを爪で剥がすような煩わしい作業を行わなくて済む。
また、被覆部２３は後フラップ１１には貼付されていないので、常にしかも完全に除去することができ、掛吊穴１３の周辺に残るようなことはない。
【００２３】
また、「開通確認」の文字から成る薬剤の混合を促す表示２４が、被覆部２３だけでなく貼付部２５、２６にも印刷されているので、被覆部２３を捲る際に「開通確認」を目視するだけでなく、被覆部２３を分離除去した後も注意を喚起することができる。従って、弱シール部９を剥離せずに混合されていない薬剤を投与してしまう危険性をかなり低く抑えることが可能となる。
貼付部２５、２６は掛吊穴１３に近接し、且つ掛吊穴１３を挟んで両側に配置されているので、掛吊穴１３にフックを掛ける際、表示２４を必然的に目視することになり極めて高い注意喚起効果を発揮することになる。
【実施例２】
【００２４】
図４によって実施例２に係る医療用複室容器３１を説明する。
医療用複室容器３１は、表示体４１を除いて実施例１に係る医療用複室容器１と同様の構成を有するので、同様の構成部分については実施例１と同じ符号を付し、また符号を引用して説明を省略して、異なる構成部分についてのみ説明する。
【００２５】
表示体４１は紙製で、ほぼ長方形で前後の端部が丸みを帯びた形状の被覆部４３と、ほぼ半円形の貼付部４５、４６とから成る。被覆部４３は、この被覆部４３の前後方向のほぼ中心の部分に左右方向へ突出する二つの貼付部４５、４６がミシン目２７、２８を介して接続されている。
【００２６】
貼付部４５、４６の裏面には粘着剤が塗布されており、被覆部４３には粘着剤は塗布されていない。貼付部４５、４６は後フラップ部１１に容易に剥離できないように貼付されており、被覆部４３は容器本体３に貼付されていない状態で掛吊穴１３を被覆している。従って、このままでは掛吊穴１３にフックを通すことができない状態となっている。二つの貼付部４５、４６は掛吊穴１３に近接し、且つ掛吊穴１３を挟んで両側にそれぞれ配置されている。
上記のように被覆部４３は、その前後方向の中央部分だけが貼付部４５、４６に直接に接続され、しかも貼付部４５、４６のみが容器本体３に貼付されているので、被覆部４３の前端部分と後端部分は容易に捲ることができる自由端部４３ａ、４３ｂとなっている。
この医療用複室容器３１は、実施例１に係る医療用複室容器１と同じ方法によって使用するが、被覆部４３の前端部分に自由端部４３ａが、また後端部分に自由端部４３ｂが設けられているので、前後のいずれの方向からも被覆部４３を容易に捲ることができる。
【実施例３】
【００２７】
図５〜図９によって実施例３に係る医療用複室容器５１を説明する。
医療用複室容器５１は、後フラップ５３、表示体６１を除いて実施例１に係る医療用複室容器１と同様の構成を有するので、同様の構成部分については実施例１と同じ符号を付し、また符号を引用して説明を省略して、異なる構成部分についてのみ説明する。
【００２８】
後フラップ５３の左右方向の中央には、収容部５に向かって突出する突出部５５が形成されている。この突出部５５には掛吊穴１３が形成されている。突出部５５は後方を除いて収容部５に囲まれており、このため掛吊穴１３は後方を除いて収容部５がかなり迫っている。
表示体６１は、ほぼ長方形の被覆部６３と、この被覆部６３にミシン目２７、２８を介して接続されるほぼ長方形の貼付部６５、６６とから成る。貼付部６５は貼付部６６の三倍程度の大きさとなっている。従って、被覆部６３は貼付部６６側へ偏って備えられている。また、被覆部６３は貼付部６５、６６より前後方向の寸法が大きく、この大きい寸法分だけ前方へ突出しており、突出部分が容易に捲ることができる自由端部６３ａとなっている。
【００２９】
貼付部６５、６６の裏面には粘着剤が塗布されており、被覆部６３には粘着剤は塗布されていない。貼付部６５、６６は収容部５と後フラップ部５３に容易に剥離できないように貼付されており、被覆部６３は容器本体３に貼付されていない状態で掛吊穴１３を被覆している。従って、このままでは掛吊穴１３にフックを通すことができない状態となっている。二つの貼付部６５、６６は掛吊穴１３に近接し、且つ掛吊穴１３を挟んで両側にそれぞれ配置されている。
【００３０】
表示体６１にはポリプロピレン樹脂を主原料とする合成紙を使用する。この合成紙は例えば株式会社ユポ・コーポレーション（東京都千代田区神田駿河台４丁目３番地）製のユポ（登録商標）８０μを用いる。
また、粘着剤としてはアクリル系溶剤型粘着剤を使用し、このアクリル系溶剤型粘着剤としては、例えばリンテック株式会社（東京都板橋区本町２３−２３）製の品番ＰＭ８ＬＫが好適である。
ユポ（登録商標）８０μにＰＭ８ＬＫを塗布したものの粘着特性を表１に示す。
【表１】
2005245983.tif 000003
【００３１】
なお、上記のユポ（登録商標）８０μにＰＭ８ＬＫを塗布したものについて、以下の条件で剥離試験を行い、粘着強度を評価した。
（試験片の作製）
ユポ（登録商標）８０μの３０ｍｍ×５０ｍｍの長方形の片にＰＭ８ＬＫを塗布した試験片（表示体）を作成し、プラスチック製バッグ（クライオバック（CRYOVAC）Ｍ３１２フィルム、シールド・エアー社製（米国））の吊り穴を塞ぐ位置に貼り付けた。
（滅菌（加熱）条件）
高圧蒸気滅菌器を使用して、試験片を１１５℃で１８分間加熱した。
（試験条件）
滅菌（加熱）処理無しと滅菌（加熱）処理有りの試験片を、ストログラフ（Ｖ１−Ｃ型、東洋精機製作所社製）を用いて２００ｍｍ／ｓｅｃの速度で剥離試験（引っ張り試験）を行い、粘着強度とした。
（粘着強度）
滅菌（加熱）無し：１．９１ｋｇｆ
滅菌（加熱）有り：３．３４ｋｇｆ
滅菌（加熱）処理することにより、粘着強度が増すことが分かった。
【００３２】
同様に、上記のユポ（登録商標）８０μにリンテック株式会社（東京都板橋区本町２３−２３）製のアクリル系溶剤型粘着剤の品番ＰＡ−Ｔ１Ｅ９Ｋを塗布したものについて、粘着強度を評価した。
（粘着強度）
滅菌（加熱）無し：０．８７ｋｇｆ
滅菌（加熱）有り：１．２６ｋｇｆ
なお、ユポ（登録商標）８０μにＰＡ−Ｔ１Ｅ９Ｋを塗布したものの粘着特性を表２に示す。
【表２】
2005245983.tif 000004
【００３３】
被覆部６３の表面には「確認」、「開通確認」の文字、後方を指す一対の矢印から成る薬剤の混合を促す表示２４が印刷され、さらに左側の貼付部６５には「開通確認」の文字、貼付部６６の表面にも「確認」の文字から成る薬剤の混合を促す表示２４が印刷されている。このように薬剤の混合を促す表示は、被覆部６３と貼付部６５、６６の両方に記載されている。
【００３４】
この医療用複室容器５１は、実施例１に係る医療用複室容器１と同じ方法によって使用するが、被覆部４３の前端部分に自由端部６３ａが設けられているので、被覆部６３を容易に捲ることができる。また、薬剤の混合を促す表示２４が、被覆部６３だけでなく貼付部６５、６６にも印刷されているので、被覆部６３を捲る際に表示２４を目視するだけでなく、被覆部６３を分離除去した後も注意を喚起することができる。特に、貼付部６５は貼付部６６の三倍程度の大きさを有し、この貼付部６６にかなり大きく印刷された「開通確認」の文字から成る薬剤の混合を促す表示２４は相当に目立ったものとなり、高い注意喚起効果を発揮することになる。従って、弱シール部９を剥離せずに混合されていない薬剤を投与してしまう危険性をかなり低く抑えることが可能となる。
【００３５】
貼付部６５、６６に塗布された粘着剤は強力なので、収納部５に液状の薬剤Ｍ１を、収納部７に液状の薬剤Ｍ２をそれぞれ収納して封入した後に加熱殺菌しても剥離するおそれがない。従って、図８に示すように薬剤Ｍ１、Ｍ２を封入する前の扁平な状態の容器本体３に表示体６１を貼付することができる。よって、表示体６１を貼付する作業を容易に行うことが可能となる。さらに自動機によって表示体６１を貼付することも容易に実現することが可能となる。
また、薬剤を封入する前の扁平な状態の容器本体５２に表示体６１を貼付することが可能となるので、掛吊穴の周辺を収納部が囲むタイプの容器本体５２に対しても、掛吊穴１３を塞ぐように表示体６１を極めて容易に貼付することが可能となる。
従って、医療用複室容器６１では、図９に示すように表示体６１を容器本体５２に貼付した後に薬剤Ｍ１、Ｍ２を封入した後、高圧蒸気滅菌器によって加熱殺菌する。
【００３６】
以上、本発明の実施例について詳述してきたが、具体的構成は、この実施例に限られるものではなく、本発明の要旨を逸脱しない範囲における設計の変更などがあっても発明の範囲に含まれる。
複数の収納部どうしを連通させ薬剤の混合を促す表示は「開通確認」以外の文字、或いは矢印以外の記号等によって構成してもよい。上記実施例では、２つの収納部を備えた医療用複室容器を示したが、本発明はこれに限定されず、３つ以上の収納部を備えた医療用複室容器に適用してもよい。また、上記実施例では、全ての収納部に液状の薬剤を入れた例を示したが、少なくとも１つの収容部に液状の薬剤が入れられていればよく、液状の薬剤が入れられている収容部以外の収容部には粉末状、粒状等の液状以外の薬剤を入れてもよい。
上記実施例では表示体２１、４１を紙製としたが、手で容易に破断できる材料であれば、プラスチック等によって構成することも可能である。
【００３７】
表示体を容器本体に貼付する手段としては上記した粘着剤の限定されずヒートシール等、表示体を容器本体に固着させることができれば如何なる手段を用いてもよい。
なお、穴１３には後フラップ１１、５３を完全に打ち抜かずに、一部分が後フラップ１１、５３に繋がった片が残ったものも含むのは勿論であり、また穴は円形のものに限定されない。
【図面の簡単な説明】
【００３８】
【図１】本発明の実施例１に係る医療用複室容器の斜視図である。
【図２】図１のＡ−Ａ断面図である。
【図３】本発明の実施例１に係る医療用複室容器の使用方法を説明する図である。
【図４】本発明の実施例２に係る医療用複室容器の斜視図である。
【図５】本発明の実施例３に係る医療用複室容器の斜視図である。
【図６】本発明の実施例３に係る医療用複室容器の部分平面図である。
【図７】本発明の実施例３に係る医療用複室容器の被覆部を除去した状態の部分平面図である。
【図８】容器本体に薬剤を封入していない状態における図５のＢ−Ｂ断面図である。
【図９】容器本体に薬剤を封入した状態における図５のＢ−Ｂ断面図である。
【符号の説明】
【００３９】
１、３１、６１  医療用複室容器      ３、５２  容器本体
５、７  収納部      ９  弱シール部      １１、５３  後フラップ部
５５  突出部
１３  掛吊穴      １５  前フラップ部      １７  薬剤取出口
２１、４１  表示体      ２３、４３  被覆部
２４  薬剤の混合を促す表示      
２５、２６、４５、４６、６５、６６  貼付部
２７、２８  ミシン目
２３ａ、４３ａ、４３ｂ、６３ａ  自由端部
【図１】
2005245983.tif 000005
【図２】
2005245983.tif 000006
【図３】
2005245983.tif 000007
【図４】
2005245983.tif 000008
【図５】
2005245983.tif 000009
【図６】
2005245983.tif 000010
【図７】
2005245983.tif 000011
【図８】
2005245983.tif 000012
【図９】
2005245983.tif 000013